(57)【要約】【課題】  従来よりもコンタミネーションを抑制することができる検体容器の開栓機構を提供しようとするもの。【解決手段】  検体容器１の蓋部２を打ち抜く開栓カッター３と、前記開栓カッター３が着脱可能なカッター保持具４とを具備し、開栓時に打ち抜かれた蓋部の支持機構８が前記カッター保持具４に設けられ、前記カッター保持具４に開栓カッター３を装着し検体容器１を開栓すると共に蓋部の支持機構８により蓋部２を保持せしめ、開栓後に蓋部の支持機構８からこれに保持された検体容器１の蓋部２を離脱させ、カッター保持具４からこれに装着された開栓カッター３を交換するようにした。【選択図】  図１
2005206180.tif 000002
【特許請求の範囲】
【請求項１】
検体容器１の蓋部２を打ち抜く開栓カッター３と、前記開栓カッター３が着脱可能なカッター保持具４とを具備し、開栓時に打ち抜かれた蓋部の支持機構８が前記カッター保持具４に設けられ、前記カッター保持具４に開栓カッター３を装着し検体容器１を開栓すると共に蓋部の支持機構８により蓋部２を保持せしめ、開栓後に蓋部の支持機構８からこれに保持された検体容器１の蓋部２を離脱させ、カッター保持具４からこれに装着された開栓カッター３を交換するようにしたことを特徴とする検体容器の開栓機構。
【請求項２】
前記蓋部２を保持する支持機構８として開栓時に打ち抜かれた蓋部２を刺持するニードル部がカッター保持具４に設けられ、検体容器１を開栓すると同時にニードル部により蓋部２を刺持せしめ、開栓後にニードル部からこれに刺持された検体容器１の蓋部２を抜脱させるようにした請求項１記載の検体容器の開栓機構。
【請求項３】
前記ニードル部はカッター保持具４に対して進退可能とした請求項２記載の検体容器の開栓機構。
【請求項４】
前記カッター保持具４を複数連に形成した請求項１乃至３のいずれかに記載の検体容器の開栓機構。
【請求項５】
請求項１乃至４のいずれかに記載の検体容器の開栓機構について交換用に用いる開栓カッター。
【請求項６】
請求項１乃至５のいずれかに記載の検体容器の開栓機構を用いて検体容器を開栓するようにプログラムした検体容器の開栓システム。
【発明の詳細な説明】
【技術分野】
【０００１】
この発明は、血液等の検体容器の開栓機構に関するものである。
【背景技術】
【０００２】
血液等の臨床検査用検体は、検体容器に収容されて封止されている。
【０００３】
従来の封止済検体容器の開栓装置として、二次感染の危険性がある手作業を排し効率的に開栓処理することができるものがあった（例えば、特許文献１参照）。
【０００４】
すなわち、検体容器（採血管等）の栓のフィルム部分を、加熱した金属製のカッター部で打ち抜いて開栓するものである。前記カッター部等の金属製の開栓機構は加熱により同時に殺菌もされるので、次回開栓時へのコンタミネーション（汚染）を防止できるようになっていた。
【０００５】
しかし、近年検査機器の精度が向上し、加熱殺菌したはずの微量の残留血清であっても次回分として検知されてしまうようになり、コンタミネーションを十分に防止することができなくなったという問題があった。
【特許文献１】特開平６―６４６８８号公報（第３頁、図１）
【発明の開示】
【発明が解決しようとする課題】
【０００６】
そこでこの発明は、従来よりもコンタミネーションを抑制することができる検体容器の開栓機構を提供しようとするものである。
【課題を解決するための手段】
【０００７】
前記課題を解決するためこの発明では次のような技術的手段を講じている。
【０００８】
(１)この発明の検体容器の開栓機構は、検体容器の蓋部を打ち抜く開栓カッターと、前記開栓カッターが着脱可能なカッター保持具とを具備し、開栓時に打ち抜かれた蓋部の支持機構が前記カッター保持具に設けられ、前記カッター保持具に開栓カッターを装着し検体容器を開栓すると共に蓋部の支持機構により蓋部を保持せしめ、開栓後に蓋部の支持機構からこれに保持された検体容器の蓋部を離脱させ、カッター保持具からこれに装着された開栓カッターを交換するようにしたことを特徴とする。
【０００９】
この検体容器の開栓機構は、カッター保持具からこれに装着された開栓カッターを交換するようにしたので、次の検体容器の開栓時には汚染のおそれがある前の開栓カッターから交換された別の開栓カッターを用いることとなる。
【００１０】
また、開栓後に蓋部の支持機構からこれに保持された検体容器の蓋部を離脱させ、カッター保持具からこれに装着された開栓カッターを交換するようにしており、検体容器の蓋部と開栓カッターとを作業サイクル内の同一工程ではなく別工程で処理することが可能であり、開栓カッターと開栓された検体容器の蓋部とを別個に分別回収することができる。
【００１１】
なお、前記開栓カッターは合成樹脂製とすると量産が可能であって安価なものとして製造することができる。
【００１２】
(２) 前記蓋部を保持する支持機構として開栓時に打ち抜かれた蓋部を刺持するニードル部（針状部）がカッター保持具に設けられ、検体容器を開栓すると同時にニードル部により蓋部を刺持せしめ、開栓後にニードル部からこれに刺持された検体容器の蓋部を抜脱させるようにしたこととしてもよい。
【００１３】
このように構成すると、開栓時に打ち抜かれた蓋部を刺持するニードル部により落栓を好適に防止しつつ蓋部を保持することができる。また、開栓後にニードル部からこれに刺持された検体容器の蓋部を抜脱させ、カッター保持具からこれに装着された開栓カッターを交換するようにしており、検体容器の蓋部と開栓カッターとを作業サイクル内の同一工程ではなく別工程で処理することが可能であり、開栓カッターと開栓された検体容器の蓋部とを別個に分別回収することができる。
【００１４】
前記ニードル部は、合成樹脂や好ましくは金属などにより形成することができる。
【００１５】
(３) 前記ニードル部はカッター保持具に対して進退可能としたこととしてもよい。
【００１６】
このように構成すると、開栓後にニードル部からこれに刺持された検体容器の蓋部を抜脱させる際、検体容器の蓋部が刺持されたニードル部をカッター保持具から進行させてカッター保持具と検体容器の蓋部との間の距離を広げた状態として抜脱作業を行うことができ作業性がよい。
【００１７】
(４) 前記カッター保持具を複数連に形成したこととしてもよい。
【００１８】
このように構成すると、複数連（例えば１０連）のカッター保持具により１サイクルの作業工程で複数個（例えば１０個分）の検体容器の開栓作業を行うことができスピーディーに開栓を行うことができる。
【００１９】
(５) この発明の開栓カッターは、前記検体容器の開栓機構について交換用に用いるものである。
【００２０】
（６）この発明の検体容器の開栓システムは、前記検体容器の開栓機構を用いて検体容器を開栓するようにプログラムしたものである。
【発明の効果】
【００２１】
この発明は上述のような構成であり、次の効果を有する。
【００２２】
次の検体容器の開栓時には汚染のおそれがある前の開栓カッターから交換された別の開栓カッターを用いることとなるので、従来よりもコンタミネーションを抑制することができる検体容器の開栓機構を提供することができる。
【発明を実施するための最良の形態】
【００２３】
以下、この発明の実施の形態を図面を参照して説明する。
（実施形態１）
図１乃至図６に示すように、この実施形態の検体容器の開栓機構は、真空採血管等の検体容器１の蓋部２を打ち抜く合成樹脂製の開栓カッター（ポンチカッター）３と、前記開栓カッター３が着脱可能な金属製のカッター保持具４とを具備する。前記開栓カッター３は刃部５が形成された合成樹脂製としており、量産が可能であって安価なものとして製造することができる。前記合成樹脂として、ポリスチレン樹脂を用いて成型した。前記検体容器１の蓋部２は、アルミラミネートフィルム６とその中央に固着されたゴム部７とから成る。
【００２４】
また、開栓時に打ち抜かれた蓋部の支持機構８が、前記カッター保持具４に設けられている。前記蓋部２を保持する支持機構８として、開栓時に打ち抜かれた蓋部２を刺持する針状のニードル部（８）がカッター保持具４の円周方向の中央に設けられている。前記ニードル部（８）は金属製として、カッター保持具４に対して操作体９により進退可能としている。ニードル部（８）は、傷んできたら交換可能としている。
【００２５】
そして、図１に示すように、テーパー状の接続端10を有する前記カッター保持具４を下降せしめ、開栓カッター３に圧入して装着する。装着後カッター保持具４を上昇せしめ、図２に示すように、検体容器１の上方へと移動させる。この状態で、ニードル部（８）は開栓カッター３の刃先によりも突出している。
【００２６】
図３に示すように、カッター保持具４を下降せしめ、検体容器１を開栓すると共に（同時に）、蓋部の支持機構（ニードル部）８により蓋部２を保持（刺持）せしめる。
【００２７】
開栓後にカッター保持具４を上昇せしめ、蓋部２の分離位置へと移動し、ニードル部（８）に連結された操作体９を押圧することによりニードル部（８）をカッター保持具４に対して進行せしめ、図４及び図５に示すように蓋部の支持機構（ニードル部）８からこれに保持（刺持）された検体容器１の蓋部２を離脱（抜脱）させる。すなわち、図４に示すように蓋リリース板11のＵ字溝12にニードル部（８）を挿入し、図５に示すように前記Ｕ字溝に蓋部２が引っ掛かって抜けるように操作体９を引っ張ることによりニードル部（８）をカッター保持具４に対して後退せしめる。こうして蓋部２はニードル部（８）から分離される。
【００２８】
次いでカッター保持具４を横方向に変位せしめ、使用した開栓カッター３の分離位置へと移動させ、カッター保持具４からこれに装着された開栓カッター３を交換する。すなわち、図６に示すようにカッターリリース板13のＵ字溝14に使用された開栓カッター３を引っ掛けて、カッター保持具４を上昇させる。開栓カッター３はカッター保持具４から分離される。蓋部２と開栓カッター３とは、分別回収するようにしている。そして、図１の工程へと戻って次の開栓カッター３を装着する。
【００２９】
次に、この実施形態の検体容器の開栓機構の使用状態を説明する。
【００３０】
この検体容器の開栓機構は、カッター保持具４からこれに装着された開栓カッター３を交換するようにしたので、次の検体容器１の開栓時には汚染のおそれがある前の開栓カッター３から交換された別の開栓カッター３を用いることとなり、従来よりもコンタミネーションを抑制することができるという利点がある。
【００３１】
分別回収した開栓カッター３は、洗浄して再利用することもできる。すなわち、開栓カッター３は１回毎に使い捨てとしてもよいし、分別回収した後に洗浄して複数回再利用してもよい。
【００３２】
また、開栓後に蓋部の支持機構（ニードル部）８からこれに保持（刺持）された検体容器１の蓋部２を離脱（抜脱）させ、カッター保持具４からこれに装着された開栓カッター３を交換するようにしており、検体容器１の蓋部２と開栓カッター３とを作業サイクル内の同一工程ではなく別工程で処理することが可能であり、開栓カッター３と開栓された検体容器１の蓋部２とを別個に分別回収することができるという利点がある。ここで、開栓時に打ち抜かれた蓋部２を刺持するニードル部（８）により、落栓を好適に防止しつつ蓋部２を保持することができるという利点がある。
【００３３】
さらに、前記ニードル部（８）はカッター保持具４に対して進退可能としており、開栓後にニードル部（８）からこれに刺持された検体容器１の蓋部２を抜脱させる際、検体容器１の蓋部２が刺持されたニードル部（８）をカッター保持具４から進行させてカッター保持具４と検体容器１の蓋部２との間の距離を広げた状態として抜脱作業を行うことができ作業性がよいという利点がある。
（実施形態２）
次に、実施形態２を実施形態１との相違点を中心に説明する。
【００３４】
この実施形態では、カッター保持具４（図１乃至図６参照）を複数連（例えば１０連）に形成しており（図示せず）、１サイクルの作業工程で複数個の検体容器の開栓作業を一遍に行うことができ、スピーディーに開栓作業を行うことができる。また、開栓カッター３相互間には飛沫の飛散を防止するための遮蔽板を配設するようにしており、開栓カッター３と検体容器を周りから覆うことができ、開栓時の衝撃で検体容器内の血清等が飛散しても周囲の検体容器に対して遮蔽することができるという利点がある。
【産業上の利用可能性】
【００３５】
従来よりもコンタミネーションを抑制することができ、検体容器を開栓する種々の用途に適用することができる。
【図面の簡単な説明】
【００３６】
【図１】この発明の実施形態１で、カッター保持具に開栓カッターを装着する工程を示す側断面図。
【図２】図１のカッター保持具を検体容器の上方へと移動した状態を示す側断面図。
【図３】図２の開栓カッターにより検体容器を開栓する工程を示す側断面図。
【図４】図３のニードル部がカッター保持具に対して進行した状態を示す側断面図。
【図５】図４のニードル部から蓋部を抜脱する工程を示す側断面図。
【図６】図５のカッター保持具から開栓カッターを分離する工程を示す側断面図。
【符号の説明】
【００３７】
１  検体容器
２  蓋部
３  開栓カッター
４  カッター保持具
８  蓋部の支持機構（ニードル部）
【図１】
2005206180.tif 000003
【図２】
2005206180.tif 000004
【図３】
2005206180.tif 000005
【図４】
2005206180.tif 000006
【図５】
2005206180.tif 000007
【図６】
2005206180.tif 000008